(57)【要約】【課題】小型化を促進し得るカメラモジュールを提供する。【解決手段】矩形受光面を備える撮像素子に結像させるためのレンズを、撮影に不要な画像範囲を切除した小判形形状に形成し、その形状に合わせてレンズバレルなどを形成する。レンズと相似形のレンズバレルの側方に、切除した部分によるスペースが生じるため、そのスペースにフォーカス調整用アクチュエータを構成する部品の一部を配設することができ、フォーカス調整用アクチュエータをレンズの光軸寄りに配設できるため、カメラモジュール全体の小型化を促進し得る。【選択図】図９
2013228610.tif 000002
【特許請求の範囲】
【請求項１】
矩形受光面を備える撮像素子と、前記撮像素子に結像させるためのレンズと、前記レンズを同軸的に保持する筒状のレンズバレルと、前記レンズバレルを前記撮像素子に対して少なくとも前記レンズのフォーカス方向に変位自在に弾性支持するばね体と、前記レンズバレルを前記フォーカス方向に前記ばね体のばね力に抗して移動させるフォーカス調整用アクチュエータとを有するカメラモジュールであって、
前記レンズは、丸型レンズの外形の一部が切除された形状に形成され、
前記レンズバレルは、前記光軸方向から見て少なくとも前記レンズの前記切除された部分に対応する形状に形成され、
前記レンズの前記切除された部分に対応して前記レンズバレルの外周面の側方に生じるスペースに、前記フォーカス調整用アクチュエータの一部が配設されていることを特徴とするカメラモジュール。
【請求項２】
前記レンズが、前記矩形受光面の一対の長辺に対応する部分で切除されていることを特徴とする請求項１に記載のカメラモジュール。
【請求項３】
前記フォーカス調整用アクチュエータが、前記レンズバレルの前記外周面に沿って巻回されたフォーカシングコイルと、前記レンズバレルの前記外周面の側方に前記フォーカシングコイルに対向して設けられた永久磁石とを有し、
前記永久磁石の少なくとも一部が、前記スペースに配設されていることを特徴とする請求項１または請求項２に記載のカメラモジュール。
【請求項４】
前記ばね体の少なくとも一部が、前記スペースに配設されていることを特徴とする請求項１乃至請求項３のいずれかに記載のカメラモジュール。
【請求項５】
前記フォーカス調整用アクチュエータと電気的に接続されたフラットケーブルが、前記レンズの前記切除された部分に対応するところから外方へ延出されていることを特徴とする請求項１乃至請求項４のいずれかに記載のカメラモジュール。
【発明の詳細な説明】
【技術分野】
【０００１】
本発明は、矩形受光面を備える撮像素子と、撮像素子に結像させるためのレンズとを有するカメラモジュールに関するものである。
【背景技術】
【０００２】
従来、可搬型カメラや携帯機器に内蔵されたカメラ等において、撮像素子（例えばＣＣＤ）と、撮像素子に結像させるためのレンズとを有し、撮影時の焦点を自動調節するためのオートフォーカス機構や、手持ちによる撮影における手振れを防止するための手振れ防止機構を設けたものがある。そのような機構を可能にするために、レンズ（レンズホルダ）を、片持ち支持構造のばね体により光軸方向および光軸に直交する面上で変位可能に支持し、各方向に対する移動を磁気駆動で制御するようにしたカメラモジュールがある（例えば特許文献１参照）。
【先行技術文献】
【特許文献】
【０００３】
【特許文献１】特開２０１１−６５１４０号公報
【発明の概要】
【発明が解決しようとする課題】
【０００４】
上記カメラモジュールでは、レンズを同軸に保持するレンズバレルと、レンズバレルを収容状態に保持するレンズホルダと、レンズホルダを同軸的に外囲するマグネットホルダとを有し、レンズホルダにフォーカスコイルが設けられ、マグネットホルダに永久磁石が設けられてオートフォーカス用レンズ駆動装置が構成されている。また、撮像装置が搭載された基板に一端が固定された４本サスペンションワイヤによりオートフォーカス用レンズ駆動装置全体が光軸に直交する２軸方向に揺動自在に支持されている。また、上記永久磁石には手振れ補正用の永久磁石片が設けられ、対向して配置されたコイル基板に手振れ補正用コイルが設けられ、そのようにして手振れ補正装置が構成されている。このようにして構成されたカメラモジュールを搭載した携帯機器では、オートフォーカスと手振れ補正とを対応する磁気駆動回路の制御で行うことができる。
【０００５】
しかしながら、上記特許文献では、丸型レンズを外囲するように保持する円筒状のレンズバレルを略四角形状の箱型のレンズホルダに装着して一体化し、そのレンズホルダの４辺にフォーカスコイルを配設し、レンズホルダを外囲する略四角形状のマグネットホルダの４辺に永久磁石を配設している。さらに、マグネットホルダの４辺の外側に、マグネットと対峙する手振れ補正用コイルを配設している。これにより、レンズ（レンズバレル）の光軸を中心とする正四角形の４辺となる部分に４つの板状永久磁石が配設され、さらにその外側に手振れ補正用コイルが配設されていることから、カメラモジュールが、特にレンズの半径方向に大型化するため、携帯機器に搭載する場合に大きなスペースを必要として、携帯機器の小型化が阻害されるという問題があった。
【０００６】
本発明は、このような従来技術の問題点を解消するべく案出されたものであり、その主な目的は、小型化を促進し得るカメラモジュールを提供することにある。
【課題を解決するための手段】
【０００７】
本発明のカメラモジュールは、矩形受光面を備える撮像素子と、前記撮像素子に結像させるためのレンズと、前記レンズを同軸的に保持する筒状のレンズバレルと、前記レンズバレルを前記撮像素子に対して少なくとも前記レンズのフォーカス方向に変位自在に弾性支持するばね体と、前記レンズバレルを前記フォーカス方向に前記ばね体のばね力に抗して移動させるフォーカス調整用アクチュエータとを有するカメラモジュールであって、前記レンズは、丸型レンズの外形の一部が切除された形状に形成され、前記レンズバレルは、前記光軸方向から見て少なくとも前記レンズの前記切除された部分に対応する形状に形成され、前記レンズの前記切除された部分に対応して前記レンズバレルの外周面の側方に生じるスペースに、前記フォーカス調整用アクチュエータの一部が配設されている構成とする。
【発明の効果】
【０００８】
本発明によれば、レンズが、丸型レンズの外形の一部を切除した形状に形成されるとともに、そのレンズの切除された部分に対応した形状のレンズバレルにおいて、切除された部分の外周面の側方に、切除された部分に対応するスペースが生じる。そのスペースにフォーカス調整用アクチュエータを構成する部品の一部を配設することができ、フォーカス調整用アクチュエータをレンズの光軸寄りに配設できるため、カメラモジュール全体の小型化を促進し得る。
【図面の簡単な説明】
【０００９】
【図１】本発明によるカメラモジュールの全体の外形を示す斜視図
【図２】カバーを取り除いた状態のレンズ・アクチュエータユニットと、画像センサーユニットとを示す分解組立斜視図
【図３】レンズ・アクチュエータユニットのシフトアクチュエータ構造を示す分解組立斜視図
【図４】レンズ・アクチュエータユニットの分解組立斜視図
【図５】（ａ）は上側ばね体の形状を示す平面図、（ｂ）は下側ばね体の形状を示す平面図
【図６】レンズ群の構成を示す分解組立斜視図
【図７】（ａ）はレンズバレルの平面図、（ｂ）は（ａ）の矢印VIIｂ−VIIｂ線に沿って見た断面図、（ｃ）は（ａ）の矢印VIIｃ−VIIｃ線に沿って見た断面図
【図８】画像センサーを示す平面図
【図９】レンズの切除部分に対するアクチュエータの配設要領を示す平面図
【発明を実施するための形態】
【００１０】
前記課題を解決するためになされた第１の発明は、矩形受光面を備える撮像素子と、前記撮像素子に結像させるためのレンズと、前記レンズを同軸的に保持する筒状のレンズバレルと、前記レンズバレルを前記撮像素子に対して少なくとも前記レンズのフォーカス方向に変位自在に弾性支持するばね体と、前記レンズバレルを前記フォーカス方向に前記ばね体のばね力に抗して移動させるフォーカス調整用アクチュエータとを有するカメラモジュールであって、前記レンズは、丸型レンズの外形の一部が切除された形状に形成され、前記レンズバレルは、前記光軸方向から見て少なくとも前記レンズの前記切除された部分に対応する形状に形成され、前記レンズの前記切除された部分に対応して前記レンズバレルの外周面の側方に生じるスペースに、前記フォーカス調整用アクチュエータの一部が配設されている構成とする。
【００１１】
これによると、レンズが、丸型レンズの外形の一部を切除した形状に形成されるとともに、そのレンズの切除された部分に対応した形状のレンズバレルにおいて、切除された部分の外周面の側方に、切除された部分に対応するスペースが生じる。そのスペースにフォーカス調整用アクチュエータを構成する部品の一部を配設することができ、フォーカス調整用アクチュエータをレンズの光軸寄りに配設できるため、カメラモジュール全体の小型化を促進し得る。
【００１２】
また、第２の発明は、前記第１の発明において、前記レンズが、前記矩形受光面の一対の長辺に対応する部分で切除されている構成とする。
【００１３】
これによると、レンズを、撮像素子の矩形状受光面の一対の長辺で切除することにより、丸型レンズから小判形に形成することができ、撮像素子の矩形受光面への結像範囲において、丸型レンズから不要となる部分を大きく切り取ることができ、より一層小型化を促進し得る。
【００１４】
また、第３の発明は、前記第１または第２の発明において、前記フォーカス調整用アクチュエータが、前記レンズバレルの前記外周面に沿って巻回されたフォーカシングコイルと、前記レンズバレルの前記外周面の側方に前記フォーカシングコイルに対向して設けられた永久磁石とを有し、前記永久磁石の少なくとも一部が、前記スペースに配設されている構成とする。
【００１５】
これによると、フォーカス調整用アクチュエータをフォーカシングコイルと永久磁石とによる磁気駆動方式で構成し、レンズバレルの外周面に沿ってフォーカシングコイルを巻回した場合に、フォーカシングコイルの一部がレンズに対応して切除された部分を通るようになるため、その部分に対向して配設される永久磁石をレンズ光軸寄りに近づけることができるため、カメラモジュールを小型化し得る。
【００１６】
また、第４の発明は、前記第１乃至第３のいずれかの発明において、前記ばね体の少なくとも一部が、前記スペースに配設されている構成とする。
【００１７】
これによると、レンズバレルを弾性支持するためのばね体をレンズ光軸寄りに近づけて配設することができるため、カメラモジュールを小型化し得る。
【００１８】
また、第５の発明は、前記第１乃至第４のいずれかの発明において、前記フォーカス調整用アクチュエータと電気的に接続されたフラットケーブルが、前記レンズの前記切除された部分に対応するところから外方へ延出されている構成とする。
【００１９】
これによると、フォーカス調整用アクチュエータのフラットケーブルの一部がレンズの切除された部分によるスペース部分を横切るように延在することから、フラットケーブルに配線パターンを設ける場合のスペース効率を向上でき、カメラモジュールの小型化に寄与し得る。
【００２０】
以下、本発明の実施の形態を、図面を参照しながら説明する。
【００２１】
図１は、本発明によるカメラモジュール１の全体の外形を示す斜視図である。図示例のカメラモジュール１は、矩形薄板状の画像センサーユニット２と、その上に積層状態に設けられた直方体状のレンズ・アクチュエータユニット３と、画像センサーユニット２の底面（レンズ・アクチュエータユニット３とは相反する側の面）に一端部が接続された画像センサー用フラットケーブル４と、レンズ・アクチュエータユニット３の底面（画像センサーユニット２側の面）に一端部が接続されたアクチュエータ用フラットケーブル５とを有する。レンズ・アクチュエータユニット３は、矩形箱型のカバー６により覆われている。カバー６の画像センサーユニット２とは相反する側の端板部分には、外部からの光をレンズ・アクチュエータユニット３に入射可能にする開口６ａが設けられている。
【００２２】
図２は、カバー６を取り除いた状態のレンズ・アクチュエータユニット３と、画像センサーユニット２とを示す分解組立斜視図である。図に示されるように、画像センサーユニット２は、画像センサー用フラットケーブル４の一端部の上面に載置状態に設けられた撮像素子としての画像センサー（ＣＣＤまたはＣＭＯＳ）７と、画像センサー７の外周部分を覆うように画像センサー用フラットケーブルに取り付けられる矩形蓋状のベース８と、画像センサー７の受光面７ａを覆うようにベース８に取り付けられるガラス製フィルター９とにより構成されている。受光面７ａは一般的な写真画像に対応した矩形であり、ベース８には受光面７ａに対応した大きさの開口８ａが設けられている。
【００２３】
レンズ・アクチュエータユニット３は、図３および図４に示されるように、全体として矩形の枠状に形成された可動ベース１１と、可動ベース１１の枠内に収容されるレンズユニット１２とを有する。レンズユニット１２は、後記するレンズ群１３と、レンズ群１３をその光軸Ｃ周りに外囲して保持するレンズバレル１４とにより構成されている。レンズバレル１４は、光軸Ｃ方向から見た平面視で互いに平行な２辺を有する小判形に形成されている。レンズバレル１４の光軸Ｃ周りとなる外周面には環状のフォーカスコイルユニット１５が嵌装される。なお、可動ベース１１およびレンズバレル１４は合成樹脂材により形成されている。
【００２４】
フォーカスコイルユニット１５は、光軸Ｃ方向から見た平面視でレンズバレル１４と同様に小判形の環状形状に形成されたコイルボビン１６と、コイルボビン１６の外周面に、上下（光軸Ｃ方向）別々に巻回されたフォーカスコイル１７ａ・１７ｂとにより構成されている。各フォーカスコイル１７ａ・１７ｂは互いに逆向きに巻回されている。コイルボビン１６は、合成樹脂材により形成され、レンズバレル１４の外周面に例えば接着固定される。この際、レンズバレル１４を接着固定される前に、レンズ位置及びチルトを確認調整して組み立てるようになっている。
【００２５】
可動ベース１１は、一対の互いに対峙する厚肉壁部１１ａによる２辺と、一対の互いに対峙する薄肉壁部１１ｂとにより矩形の４辺を構成するように形成されている。一対の厚肉壁部１１ａが、カメラモジュール１の組み付け状態でアクチュエータ用フラットケーブル５の長手方向（図の左右方向）に互いに対峙する。両厚肉壁部１１ａの上面（図の上側）には、図の上側に突出する円形ピン状のボス部１１ｃが所定の間隔で一体に形成されている。ボス部１１ｃは、矩形状の可動ベース１１の四隅近傍にそれぞれ計４箇所に配置されている。また、両厚肉壁部１１ａの下面（図の下側）にも、図の下側に突出する円形ピン状のボス部１１ｄが所定の間隔で一体に形成されている。ボス部１１ｄは、両厚肉壁部１１ａにそれぞれ一対として計４箇所に配置されている。
【００２６】
本カメラモジュール１では、フォーカスコイルユニット１５が一体化されたレンズユニット１２は、可動ベース１１に対して相対的に光軸Ｃ方向に変位可能に設けられている。その構造としては、フォーカスコイルユニット１５を構成するコイルボビン１６は、光軸方向となる上下で、光軸Ｃに対して互いに対称形の一対の上側ばね体１８と下側ばね体１９とにより弾性支持されている。コイルボビン１６の環状の上端面における四隅近傍にはそれぞれ図の上側に突出する円形ピン状のボス部１６ａが一体に形成されている。
【００２７】
上記一対の上側ばね体１８は、光軸Ｃに対して対称形であり、薄板のばね材を例えばプレス加工して形成され、組み付け状態ではアクチュエータ用フラットケーブル５の長手方向に配設される。図５（ａ）に示されるように、上側ばね体１８は、光軸Ｃに近い側で両翼を拡げた形状の内側翼部１８ａと、内側翼部１８ａの外側で内側翼部１８ａに沿うように延在する外側翼部１８ｂと、両翼部１８ａ・１８ｂ間でつづら折り状に形成された連結部１８ｃとを一体に有する。
【００２８】
両翼部１８ａ・１８ｂの延在方向両端部にはそれぞれ一対の結合孔１８ｄ・１８ｅが設けられている。内側翼部１８ａに設けられた結合孔１８ｄに、コイルボビン１６のボス部１６ａを突入させて接着等で固定することにより、コイルボビン１６すなわちレンズユニット１２と上側ばね体１８との一端が結合される。また、外側翼部１８ｂに設けられた結合孔１８ｅに、可動ベース１１のボス部１１ｃを突入させて接着等で固定することにより、可動ベース１１の上部と上側ばね体１８との他端が結合される。
【００２９】
また、下側ばね体１９は、光軸Ｃに対して対称形であり、上側ばね体１８と同様に薄板のばね材をプレス加工等して形成される。図５（ｂ）に示されるように、下側ばね体１９は、コイルボビン１６に対応して小判形に形成された環状部１９ａと、環状部１９ａの小判形における対となる２辺にそれぞれ沿うように延在する一対の翼部１９ｂと、環状部１９ａおよび翼部１９ｂ間でつづら折り状に形成された連結部１９ｃとを一体に有する。
【００３０】
環状部１９ａは、光軸Ｃ方向から見た平面視でコイルボビン１６と略重なる形状に形成されており、コイルボビン１６の下端面に接着固定される。一対の翼部１９ｂの延在方向両端部にはそれぞれ一対の結合孔１９ｄが設けられている。環状部１９ａの内周側に設けられた矩形状凸部１９ｅと、コイルボビン１６の下面側１６ｂとを接着等で固定することによりコイルボビン１６の下面側１６ｂと下側ばね体１９の一端とが結合される。また各結合孔１９ｄに、可動ベース１１の下側の各ボス部１１ｄを突入させて接着等で固定することにより、可動ベース１１の下部と下側ばね体１９の他端とが結合される。このようにして、フォーカスコイルユニット１５は、上側ばね体１８および下側ばね体１９を介して可動ベース１１に対して光軸Ｃ方向に変位自在に弾性支持される。
【００３１】
また、可動ベース１１の両厚肉壁部１１ａの内壁面には一対の平板状の永久磁石２０が例えば接着固定されかつ互いに対向して配設されている。なお、両永久磁石２０は、上側のフォーカスコイル１７ａに対応する上側にＮ極を有し、下側フォーカスコイル１７ｂに対応する下側にＳ極を有するように励磁されている。これにより、上記逆向きに巻回された両フォーカスコイル１７ａ・１７ｂに流れる電流に応じてレンズユニット１２を光軸Ｃ方向に駆動することができる。これにより、カメラ撮影におけるフォーカス調整が可能である。なお、フォーカス調整制御は公知のものであってよく、その説明を省略する。
【００３２】
次に、レンズ・アクチュエータユニット３の光軸Ｃ周りおよび直交する方向に対するシフト駆動を行うためのシフトアクチュエータ構造を説明する。なお、このシフト駆動は、カメラ撮影における手振れを補正するためのものであり、その制御は公知のものであってよく、制御要領についての説明は省略する。図２・３に示されるように、アクチュエータ用フラットケーブル５には、レンズ・アクチュエータユニット３の四隅に対応する位置に互いに平行な４本の弾性ワイヤ２１が立設されている。なお、アクチュエータ用フラットケーブル５の下面には弾性ワイヤ２１の一端を固定支持するためのベース板２２が設けられている。
【００３３】
上記した上側ばね体１８は導電性のばね材により形成され、上側ばね体１８の内側翼部１８ａの一方の端部にはフォーカスコイル１７ａ・１７ｂの一端を半田接続するためのランド部１８ｆが設けられている。外側翼部１８ｂの結合孔１８ｅが設けられている近傍部分は、可動ベース１１との結合状態で可動ベース１１の外側に延出するように形成されており、その延出端部には上記した弾性ワイヤ２１の遊端部（アクチュエータ用フラットケーブル５側の固定端部とは相反する側）が挿通される結合孔１８ｇが設けられている。各結合孔１８ｇに弾性ワイヤ２１の遊端部が挿通されかつ半田付け結合される。これにより、レンズ・アクチュエータユニット３が光軸Ｃ周りおよび光軸Ｃに直交する方向に変位自在に弾性支持される。また、弾性ワイヤ２１は導電性ばね材からなり、上側ばね体１８を介して、フォーカスコイル１７ａ・１７ｂとアクチュエータ用フラットケーブル５とが電気的に接続される。
【００３４】
可動ベース１１の底面（アクチュエータ用フラットケーブル５に対向する面）の四隅には４つのシフト用永久磁石２３が固着されている。アクチュエータ用フラットケーブル５には各シフト用永久磁石２３に対応して４つのシフト用コイル２４が配設されている。なお、アクチュエータ用フラットケーブル５には、フォーカスコイルユニット１５に対応して光軸Ｃ方向から見て略同一外形となる小判形形状の開口５ａが設けられており、各シフト用コイル２４は、開口５ａの四角に対応する位置に配設されている。
【００３５】
シフト用永久磁石２３は矩形状に形成され、シフト用コイル２４も対応するように矩形状に巻回されており、シフト用永久磁石２３およびシフト用コイル２４は、それぞれの長手方向を光軸Ｃを中心とする円周の接線方向に向けかつ９０度間隔の点対称に配置されている。また、アクチュエータ用フラットケーブル５の長手方向一端側に配置された２つのシフト用コイル２４の中央空間部にホール素子２５がそれぞれ収容状態に配設されている。
【００３６】
レンズ群１３は、図６および図７に示されるように、被写体側から光軸Ｃ方向に積層した第１〜第５レンズＬ１〜Ｌ５により構成されている。第４レンズＬ４と第５レンズＬ５との間には迷光対策用のフィルター板２６が介装されている。本実施形態では、被写体側の第１および第２レンズＬ１・Ｌ２は丸型レンズが用いられているが、第３〜第５レンズ
Ｌ３〜Ｌ５は、丸型レンズを用いた場合に矩形受光面７ａをカバーする集光範囲で、矩形受光面７ａの一対の長辺のそれぞれ外側へ集光する部分が切除されることにより、撮影に必要な画面範囲を確保し、撮影に不必要な画面範囲に対応する部分を切除した形状となる小判形に形成されている。なお、矩形受光面７ａの一対の長辺のいずれか一方の外側へ集光する部分が切除されるＤ字状に形成されていてもよい。
【００３７】
図８に示されるように、受光面７ａにおいて、丸型レンズにおけるイメージサークル（撮影に必要な照度および画質が維持される範囲）２７内で撮影に必要となる画面範囲は、矩形形状の受光面７ａの対角線Ｌがイメージサークル２７の直径であればよい。したがって、受光面７ａにおける長辺の外側に、その長辺とイメージサークル２７とにより囲まれる撮影に寄与しない範囲２７ａが生じる。そして、第３〜第５レンズＬ３〜Ｌ５において、丸型レンズとした場合（図６のＬ３ａ・Ｌ４ａ・Ｌ５ａ）に撮影に寄与しない範囲２７ａに対応する部分を切除している。このようにして、第３〜第５レンズＬ３〜Ｌ５は光軸Ｃ方向から見て小判形に形成されている。なお、レンズ群１３のレンズ形状は、イメージサークル内で矩形受光面７ａをカバーする範囲が確保されればよく、図のように直線で切除される必要は無く、若干外側に膨らむ弧状の線で切除された形状であってもよい。
【００３８】
レンズバレル１４は、図７（ａ）に示されるように光軸Ｃ方向から見て小判形の外形をなし、図７（ｂ）・（ｃ）に併せて示されるように、光軸Ｃを中心とする円形開口１４ａを中央部に有する天板部１４ｂと、レンズ群１３（Ｌ１〜Ｌ５・２６）を保持する周壁部１４ｃとにより、天板部１４ｂを底壁とする有底筒状に形成されている。上記したように第３〜第５レンズＬ３〜Ｌ５の小判形形状に合わせて周壁部１４ｃも形成されており、周壁部１４ｃは、図７（ａ）に示されるように、周壁部１４ｃを光軸Ｃ方向から見て円形で形成した場合を示す二点鎖線の円の直径に対して、図における左右方向両側がそれぞれ長さｄで切除された形状である。
【００３９】
このようにして、レンズバレル１４の外形をその光軸Ｃに直交する一方向（図の左右方向）に短く形成することができ、したがって、フォーカスコイルユニット１５および可動ベース１１も同方向に短く形成することができる。図９の二点鎖線で示されるように、上記長さｄにより切除された範囲に、フォーカス調整用アクチュエータの一部として、本実施形態のようにフォーカスコイル１７ａ・１７ｂの一部を円の内側で巻回し、また上下のばね体１８・１９の一部と、永久磁石２０とを配設することができる。
【００４０】
これにより、フォーカス調整用アクチュエータを構成するフォーカスコイル１７ａ・１７ｂとばね体１８・１９と永久磁石２０とを、丸型レンズのものに対して光軸Ｃ寄りに配設できる。このようにして、レンズ・アクチュエータユニット３を小型化でき、カメラモジュール１としての全体をコンパクト化できるため、カメラモジュール１の搭載対象となる携帯機器の小型化に好適に対応し得る。特に、各フラットケーブル４・５を上記短く形成され方向から延出させることにより、フラットケーブル４・５の引き回しスペースを含むカメラモジュール１全体のレイアウトに必要なスペースを抑制でき、より一層コンパクトな設計が可能となる。
【００４１】
また、シフト用コイル２４およびホール素子２５は、アクチュエータ用フラットケーブル５と電気的に接続されている。アクチュエータ用フラットケーブル５に設けられた開口５ａは撮影光を画像センサー７に通すためのものであり、上記したようにレンズ群１３（Ｌ１〜Ｌ５・２６）の形状に合わせて開口５ａを形成しており、丸型レンズに合わせた円形の開口２８を設けた場合に対して、開口５ａのアクチュエータ用フラットケーブル５の長手方向の幅が狭くてよい。これにより、開口５ａを挟んでそれぞれ配設された各シフト用コイル２４の間にアクチュエータ用フラットケーブル５の一部を残すことができ、その部分に例えば、シフト用コイル２４やホール素子２５に対する回路を形成する配線パターン５ｂを形成することができる（図３参照）。そのような配線パターンを形成する分だけアクチュエータ用フラットケーブル５を長手方向に長くする必要が無いため、コンパクト化を促進し得る。
【００４２】
以上、本発明を、その好適形態実施例について説明したが、当業者であれば容易に理解できるように、本発明はこのような実施例により限定されるものではなく、本発明の趣旨を逸脱しない範囲で適宜変更可能である。例えば、レンズＬ３〜Ｌ５を、上記実施形態では丸型レンズを用いた場合の矩形受光面７ａに対して集光する範囲で、矩形受光面７ａの一対の長辺のそれぞれ外側へ集光する部分を切除した形状としたが、矩形受光面７ａの一対の短辺のそれぞれの外側へ集光する部分も切除した矩形に形成してもよい。これにより、より一層小型化し得る。また、上記実施形態に示した構成要素は必ずしも全てが必須なものではなく、本発明の趣旨を逸脱しない限りにおいて適宜取捨選択することが可能である。
【産業上の利用可能性】
【００４３】
本発明にかかるカメラモジュールは、レンズの撮影画面に不要な部分を切除し、その切除された部分にアクチュエータの一部を配設することにより効率的な小型化を達成し、携帯機器に搭載されるカメラモジュールとして有用である。
【符号の説明】
【００４４】
１  カメラモジュール
３  レンズ・アクチュエータユニット
７  画像センサー
７ａ  受光面
１１  可動ベース
１２  レンズバレル
１３  レンズ群
１５  フォーカスコイルユニット
１８・１９  ばね体
２０  永久磁石
【図１】
2013228610.tif 000003
【図２】
2013228610.tif 000004
【図３】
2013228610.tif 000005
【図４】
2013228610.tif 000006
【図５】
2013228610.tif 000007
【図６】
2013228610.tif 000008
【図７】
2013228610.tif 000009
【図８】
2013228610.tif 000010
【図９】
2013228610.tif 000011